(57)【要約】【課題】空気を使用することにより意外性に富みしかも躍動感に溢れた役物演出装置を、簡便な構成によって提供する。    【解決手段】空気流出口６３ｂを有する外ケース６３と、外ケース内に収納され、回動自在に形成された巻取部材６４と、巻取部材に一端が固定され、他端が空気流出口から外ケース外へと延出した布状装飾体６２と、布状装飾体の収納空間部と、空気流出口に向けて送風して布状装飾体を揺動させる送風手段６５と、布状装飾体の照明手段６６と、巻取部材を回動させて布状装飾体を収納空間部に収納する第１位置と、収納しない第２位置とに移動させる第１移動手段Ｍと、を備えた役物演出装置を有する弾球遊技機。【選択図】図５
2010227400.tif 000002
【特許請求の範囲】
【請求項１】
空気流出口を有する外ケースと、
前記外ケース内に収納され、回動自在に形成された巻取部材と、
前記巻取部材に一端が固定され、他端が前記空気流出口から前記外ケース外へと延出した布状装飾体と、
前記外ケースの内周面と前記巻取部材との間に形成された前記布状装飾体を収納する収納空間部と、
前記空気流出口に向けて送風して前記布状装飾体を揺動させる送風手段と、
前記巻取部材を回動させて、前記布状装飾体を前記収納空間部に収納する第１位置と、収納しない第２位置とに移動させる第１移動手段と、
を備えた役物演出装置を有する弾球遊技機。
【請求項２】
請求項１において、遊技盤内に液晶表示演出装置を有し、前記役物演出装置の前記空気流出口を前記液晶表示演出装置の方向に向けない第３位置と、前記液晶表示演出装置の方向に向ける第４位置とに移動させる第２移動手段を有し、
前記第２移動手段が前記空気流出口を前記第４位置に移動させたときに、前記第１移動手段が前記巻取部材を前記第２位置に移動させて、前記布状装飾体の先端部を前記液晶表示演出装置の表示領域内に位置させることを特徴とする弾球遊技機。
【発明の詳細な説明】
【技術分野】
【０００１】
本発明は、パチンコ遊技機等の弾球遊技機に関し、特に、遊技盤の中央に役物装置を有する弾球遊技機に関するものである。
【背景技術】
【０００２】
弾球遊技機において、図９に示すように、遊技盤１上のレール８ａ、８ｂに囲まれた遊技領域９内の略中央に役物装置２を有する弾球遊技機が知られている。
該役物装置２は、全体が外枠部３に囲まれており、その内部中央には液晶表示装置４が設けられている。また、該外枠部３の下部には遊技球を一時的に転動させるステージ５、側部には遊技球を該ステージ５上に案内する流入口６が設けられている。
また、該役物装置２の下方の遊技領域９内には、始動入賞口１０ａや一般入賞口１０ｂ、その下方には大入賞口（いわゆるアタッカー）１１が配置されている。
さらに、最下方には、上記したどの入賞口にも入賞しなかった遊技球を回収するアウト口１３が配置され、その他、風車１４や障害釘１５等も、適宜配置されている。
このような遊技機は、遊技者が球発射ハンドル７を操作することにより、遊技球はレール８ａ、８ｂで囲まれた発射通路を通り、遊技領域９内に発射される。
発射された遊技球が該始動入賞口１０ａに入賞すると、その入賞に伴って抽せんが行われ、その抽せん結果は、遊技機右下部に設けられた特別図柄表示装置１２に表示される。
この抽せん結果を表示するにあたり、該液晶表示装置４における映像演出や、外枠部３に付属して設けられる役物演出装置１６の動作による動作演出等が併せて行われ、これらにより、遊技者に対し当せんに対する期待感を一層醸成させている。
そして、該抽せんに当せんするといわゆる特別遊技状態となり、大入賞口１１が大きく開口する。開口した該大入賞口１１には、容易に遊技球を多数入賞させることができるので、遊技者は大量の賞球を得ることができる。
【０００３】
このような演出を行う役物演出装置として、実際の風を使った演出を行う役物装置も提案されている。
【先行技術文献】
【特許文献】
【０００４】
【特許文献１】特開平２００８−１１９１２３号公報
【発明の概要】
【発明が解決しようとする課題】
【０００５】
しかしながら、このような液晶表示装置４による映像演出や、役物演出装置１６による動作演出では、予め決められた動作でしか演出できず、しかも風を使用する役物装置だとしてもそれ自体が移動するように構成されていないので、意外性や面白味に欠けるものとなっている。
【０００６】
本発明はこの点に鑑みなされたものであり、遊技者に対し、意外性に富みしかも躍動感に溢れた役物演出装置を、簡便な構成によって提供する。
【課題を解決するための手段】
【０００７】
本発明は、上述した目的を達成する解決手段として、弾球遊技機において、空気流出口を有する外ケースと、前記外ケース内に収納され、回動自在に形成された巻取部材と、前記巻取部材に一端が固定され、他端が前記空気流出口から前記外ケース外へと延出した布状装飾体と、前記外ケースの内周面と前記巻取部材との間に形成された前記布状装飾体を収納する収納空間部と、前記空気流出口に向けて送風して前記布状装飾体を揺動させる送風手段と、前記巻取部材を回動させて、前記布状装飾体を前記収納空間部に収納する第１位置と、収納しない第２位置とに移動させる第１移動手段と、を備えた役物演出装置を有することを特徴とする構成とした。
【０００８】
さらに、本発明は、遊技盤内に液晶表示演出装置を有し、前記役物演出装置の前記空気流出口を前記液晶表示演出装置の方向に向けない第３位置と、前記液晶表示演出装置の方向に向ける第４位置とに移動させる第２移動手段を有し、前記第２移動手段が前記空気流出口を前記第４位置に移動させたときに、前記第１移動手段が前記巻取部材を前記第２位置に移動させて、前記布状装飾体の先端部を前記液晶表示演出装置の表示領域内に位置させることを特徴とする構成とした。
【発明の効果】
【０００９】
本発明における弾球遊技機は、送風によって揺動が発生する役物演出装置を簡便な構成によって提供することができるので、遊技者に対して意外性に富んだ、かつ躍動感に溢れた興趣を与えることができるとともに、そのような弾球遊技機を安価に提供することができる。
【図面の簡単な説明】
【００１０】
【図１】本発明の第１の実施例に係る弾球遊技機の正面図。
【図２】本発明の第１の実施例に係る役物装置の正面図。
【図３】本発明の第１の実施例に係る役物装置の断面図（図２のＡ−Ａ断面図）。
【図４】本発明の第１の実施例に係る役物装置における役物演出装置の説明図。
【図５】本発明の第１の実施例に係る役物装置の右下部を拡大した正面図。
【図６】本発明の第２の実施例に係る役物演出装置の正面図。
【図７】本発明の第２の実施例に係る役物演出装置の動作説明図。
【図８】本発明の第２の実施例に係る役物装置の正面図。
【図９】従来例における中央役物装置を有する弾球遊技機の説明図。
【発明を実施するための形態】
【００１１】
本発明の弾球遊技機は、図１に示すように、遊技盤上１のレール８ａ、８ｂに囲まれた遊技領域９内の略中央に役物装置２０を有する弾球遊技機であって、該役物装置２０以外は従来のものと同様であり、該遊技領域９内には、始動入賞口１０ａ、一般入賞口１０ｂ及び大入賞口（いわゆるアタッカー）１１、障害釘１５等が適宜配置されている。
【００１２】
本発明の第１の実施例に係る役物装置２０は、図２に示すように、周囲を外枠部３によって囲まれており、その中央に液晶表示演出装置４、下部に遊技球の流下に変化を与えるステージ部５、側部に遊技球を役物装置２０内部に進入させて該ステージ部５上に導く流入口６を有している。
そして、該液晶表示演出装置４の前方（遊技者から見て手前側）であって、該ステージ部５の後方には、後述するように、左右下方に一対の役物演出装置６０が配置されている。
【００１３】
該役物演出装置６０は、本体部６１と、該本体部６１から延出する複数の布状装飾体６２とから構成されている。
そして、図３に示すように、該液晶表示演出装置４の前面側とステージ５の後方側とをアクリル等の透明材料からなる前板５３で仕切った演出空間部５４に、該布状装飾体６２が配置され、該演出空間部５４の下部に連通口５５を介して設けられた本体収納部５６に、該本体部６１が配置されている。
つまり、該布状装飾体６２は、該本体部６１から延出して該連通口５５を通り、該演出空間部５４にその先端部を常在するように配置されている。しかしながら、この状態では、その先端部は、該液晶表示演出装置４の液晶表示領域外とされており、遊技者側からは視認できない。
また、該本体収納部５６の下部には空気取り入れ口５７が設けられ、該演出空間部５４の上部には空気吐き出し口５８が設けられている。
【００１４】
該布状装飾体６２は、ポリエステル繊維等からなる薄い布状長尺体を赤炎色に着色して形成したものであり、赤色発光ダイオード等によって照明されると、あたかも炎であるかのごとく疑似炎を演出できるように構成されている。
【００１５】
役物演出装置６０の本体部６１の正面から見た断面図を、図４に示す。
該本体部６１の外ケース６３内には、その軸方向に沿って複数の該布状装飾体６２を巻回可能な巻取部材６４が配置され、該巻取部材６４と該外ケース６２の内周面との間に収納空間部６７が形成されている。
該布状装飾体６２は、巻取部材６４にその一端が固定され、該収納空間部６７に収納されている。
また、該外ケースには、その下部に空気流入口６３ａ、上部に空気流出口６３ｂが設けられている。
また、該巻取部材６４の下方には、空気流出口６３ｂの方向へ送風する送風手段６５が設けられ、該巻取部材６４の上方には、空気流出口６３ｂの方向を照明する複数の発光ダイオード等からなる照明手段６６がそれぞれ配置されている。
さらに、該巻取部材６４を正逆回転させて、布状装飾体を巻き取りあるいは巻き戻すための駆動モータＭ（第１移動手段）が、該外ケース６３に固定されて設けられている。
【００１６】
ここで、該送風手段６５は、常態においてＯＮされており、空気は常時、空気流入口６３ａから流入し、上部の空気流出口６３ｂから流出している。これにより、該空気流出口６３ｂから延出する布状装飾体６２は、その先端部が、該空気流出口６３ｂを通って連通口５５から演出空間部５４内へ常在するように保証されている。
また、該照明手段６６による照明光は、空気流出口６３ｂを通り、ビーム状となって演出空間部５４内に投射される。
【００１７】
該布状装飾体６２は、上記した駆動モータＭ（第１移動手段）によって、巻取部材６４にその大部分が巻き取られて先端部のみが演出空間部５４内に常在する第１位置（該先端部が液晶表示演出装置４の表示領域内に位置しない非表示位置。）と、その大部分が巻き戻されて該演出空間５４内に位置することができる第２位置（該先端部が液晶表示演出装置４の表示領域内に位置する表示位置）とに選択的に位置させることができる。
【００１８】
役物装置２０の正面右下部を拡大し、役物演出装置６０の配置状態を透視した図を、図５に示す。
役物演出装置６０の外ケース６３は、巻取部材６４の軸方向が液晶表示演出装置４の表示面と平行になるように本体収納部５６内に配置され、該外ケース６３に設けられた回動支点７０を支点に、該軸方向を平行にしたまま回動可能とされている。
また、該外ケース６３は、該外ケース６３の一端と本体収納部５５との間に設けられたソレノイド等からなる駆動装置７１（第２移動手段）によって、図５の点線で示したような、空気流出口６３ｂを液晶表示演出装置４の方向に向けないホームポジション位置（第３位置）と、該空気流出口６３ｂを液晶表示演出装置４の方向に傾動させたアクション位置（第４位置）とに選択的に位置させることができる。
そして、前記第３位置では、例え複数の布状装飾体６２が巻き戻されているとしても遊技者は視認できない状態とされており、前記第４位置において初めて、該布状装飾体６２が巻き戻されているならば、該複数の布状装飾体６２が図５に示すように視認できる状態とされている。
【００１９】
そして、液晶表示演出装置４における演出表示と同期して、これら駆動モータＭ（第１移動手段）及び駆動装置７１（第２移動手段）を制御する演出役物制御装置が設けられている。該演出役物制御装置は、送風手段５５や照明手段６６をスイッチングする機能も有している。
【００２０】
以上のように構成された本発明における弾球遊技機は、以下のように駆動される。
始動入賞口２１に遊技球が入賞すると、該入賞に伴う抽せんが行われるが、その抽せん結果を表示するために特別図柄表示装置１２の変動表示が開始されるとともに、所定個数の賞球が払い出される。
次に、この特別図柄表示装置１２の変動表示の開始に合わせ、液晶表示演出装置４による演出表示が開始される。
そして、該液晶表示演出装置４による演出表示が終了し、該特別図柄表示装置２５の変動表示が特定の図柄の組み合わせで停止した場合に、遊技者に利益が生じ得る特別遊技状態となり、大入賞口（アタッカ）２７が所定ラウンド数、開放する。
この所定ラウンドの開放中に大入賞口（アタッカ）２７に入賞した遊技球数に対して、所定個数の賞球が払い出される。
【００２１】
ここで、上記液晶表示演出装置４による演出が、いわゆる「リーチ」状態の表示演出となったとき、上記した演出役物制御装置により駆動装置７１（第２移動手段）が駆動されて、外ケース６３の空気流出口６３ｂは、図５に示す破線位置つまりホームポジション位置（第３位置）から、実線位置つまりアクション位置（第４位置）へ移動する。
次に、照明手段６６がＯＮされ、駆動モータＭ（第１移動手段）の駆動が開始されて、布状装飾体６２の巻き戻しが開始される。
これにより、該布状装飾体６２は、その先端部のみが演出空間部５４内に位置する前記第１位置（非表示位置）から、その大部分が巻き戻されて該演出空間５４内に位置することができる前記第２位置（表示位置）に移動可能とされる。
このとき、送風手段６５は、常態においてＯＮされており、布状装飾体６２の先端部を、空気流出口６３ｂを経て、連通口５５から演出空間部５４内に常在するように送風している。
したがって、該第２位置への移動に伴い、布状装飾体６２はビーム状となって演出空間６４内に延出して行き、遊技者に対し液晶表示演出装置４の表示領域内にあたかも炎のビームが実際に走ったような錯覚を生じさせることができる。
また、このような錯覚は、液晶表示演出装置４における映像演出内容と協働させることで、一層顕著にすることができる。
【００２２】
演出役物制御装置による上記した演出によれば、本体部６１の空気流出口６３ｂを第３位置から第４位置に移動させた後、布状装飾体６２を第１位置から第２位置に移動させているが、他の実施例として、布状装飾体６２を第１位置から第２位置に移動させた後、送風開口６３ｂを第３位置から第４位置に移動させる演出を行うように構成することもでき、そのような演出をした場合には、立ち上がった炎ビームが役物装置の枠外から一斉に現れるというダイナミックな演出とすることもできる。
【００２３】
また、空気流出口６３ｂを常に第４位置に位置させる構成にして、前記第１移動手段のみを備え、第２移動手段を省略する構成とすることもできる。このように構成すると、構成がより一層簡便となる。
また、布状装飾体６２の巻き戻し量を複数段階にして、上記第４位置を複数位置にすることもできる。このようにすると、長く巻き戻しする位置では、遊技者に対し炎ビームとして認識させる度合いがより強くなるので、興趣を一層高める演出とすることができる。
本発明による構成では、このような演出は、単に第１移動手段による回動量を調節すればよいので、容易に可能となる。
【００２４】
このように、本発明では、送風によって形態に揺動（揺らぎ）が発生する動作役物装置を簡便な構成によって提供することができ、しかも液晶表示演出装置の演出と同期して稼働させることにより、遊技者に対し、意外性に富んだ、かつダイナミックな興趣を与えることができる。
【００２５】
なお、上記した第１の実施例では、照明手段６６を外ケース６３の内部に配置したが、必ずしもこのように配置する必要はなく、演出空間部５４の下部に、連通口５５に臨むように設けても良い。あるいは、液晶表示演出装置４における液晶表示からの照明を使用する等により、必ずしも設ける必要がない。
【００２６】
また、送風手段６５を外ケース６３の内部に配置したが、必ずしもこのように配置する必要はなく、該外ケース６３の下方の、本体収納部５６の下部に設けることもできる。
さらに、送風手段６５は、常態においてＯＮしているが、この常態においては弱風状態として、布状装飾体６２の先端部を演出空間部５４内に常在するように保証し、遊技者に視認する必要があるタイミングで強風状態として、該布状装飾体６２をあたかも炎状ビームであるかのように演出させるように制御し、効率の良い送風手段として構成することができる。
【００２７】
次に、本発明の第２の実施例について、図６〜８を用いて説明する。
この第２の実施例では、役物演出装置が、図６に示す役物演出装置１６０として構成される。
該役物演出装置１６０は、本体部１６１と布状装飾体１６２とから構成されており、該本体部１６１および該布状装飾体１６２は、それぞれ、前記した第１の実施例と同様に、本体収納部および演出空間部内に配置される（図示せず）。
【００２８】
該本体部１６１は、断面扇形の外ケース１７０と、該外ケース１７０内に収納された、前記外ケース１７０と同様の曲率を有する断面扇形のスライダ１７１（巻取部材）を有している。
そして、該外ケース１７０とスライダ１７１とは、曲率中心に配置された回動軸１６４の回転中心を共通にして回動可能とされており、さらに、該該外ケース１７０とスライダ１７１との間には、布状装飾体１６２を収納することができるように収納空間部１６７が設けられている。このように、該外ケース１７０とスライダ１７１とは、その曲率が形成された面が、該回動軸１６４を中心とした同心円状に配置されている。
外ケース１７０およびスライダ１７１の回動中心を同一とした回動軸１６４には、回転駆動手段（図示しない）が連結され、図示しないクラッチ手段により、外ケース１７０およびスライダ１７１をそれぞれ、互いに独立して回動（移動）することができるように構成されている。
【００２９】
該外ケース１７０には、下方に空気流入口１６３ａが設けられ、上方に複数の空気流出口１６３ｂが曲率面に沿って所定間隔で設けられている。
また、該外ケース１７０の内部には送風手段１６５が配置されており、該送風手段１６５により下方の空気流入口１６３ａから取り入れられた空気は、上方の空気流出口１６３ｂから流出し、更に前記第１の実施例と同様に、演出空間部を経てその上方の空気吐き出し口から吐き出されるように構成されている。
【００３０】
さらに、該外ケース１７０の内部には、発光ダイオード等からなる照明手段１６６が配置されている。該照明手段１６６が、図６に示すように、スライダ１７１の下方に配置されている場合は、該スライダ１７１は光透過部材で形成される。
【００３１】
布状装飾体１６２は、第１の実施例と同様に、長尺状の複数本の布状体からなり、それらの基端部は、いずれもスライダ１７１の曲率が形成された上面に、空気流出口１６３ｂと同様の所定間隔をもって固定され、それらの先端部は、外ケース１７０の複数の空気流出口１６３ｂのそれぞれから該外ケース外方へ延出されている。
したがって、該布状装飾体１６２は、送風手段１６５によって発生した空気流により、収納空間部１６７を経て、空気流出口１６３ｂから排出され、スライダ１７１の移動に伴って更に演出空間部内に運ばれることとなる。
また、外ケース１７０の左端部下面には、スライダ１７１の左端部を位置決めするストッパ部１７０ａが形成されており、スライダ１７１がこのストッパ１７０ａに当接する位置では、布状装飾体１６２の空気流出口１６２ｂからの排出長さが最大とされている。
【００３２】
図７に示すように、外ケース１７０に対しスライダ１７１を、ストッパ１７０ａとは反対方向にスライドさせることにより、布状装飾体１６２は収納空間部１６７に収納される（第１位置）。反対に、図６に示すように、スライダ１７１がストッパ１７０ａに当接した状態では、該布状装飾体１６２は空気流により外ケース１７０外へ最大限吐き出されることとなる（第２位置）。
【００３３】
図８に示すように、該役物演出装置１６０の本体部１６１は、その外ケース１７０およびスライダ１７１が、それらの回動方向を液晶表示演出装置４の表示面と平行とするように、かつ該液晶表示演出装置４の左右に１対となるように配置されている。
また、外ケース１７０を前記した回転駆動手段により回動させて、その空気流出口１６３ｂを液晶表示演出装置４の方向に向けた第４位置と、向けない第３位置とに選択的に移動させることができるように構成されている。
したがって、外ケース１７０の空気流出口１６３ｂが、液晶表示演出装置４の方向に向けられ、かつ、スライダ１７１が外ケース１７０に対し左回転状態で停止している状態では、複数の該布状装飾体１６２が、遊技者から見て、液晶表示演出装置４の表示画面上に最大限延出されることとなる。
このとき、照明手段１６６により該布状装飾体１６２のそれぞれが照明されるとともに、その照明光はスポット光（ビーム光）１８０として遊技者に認識されることとなる。
【００３４】
この第２の実施例は、前記第１の実施例と同様の作用効果を奏することが出来ると共に、更に、外ケース１７０とスライダ１７１の回動機構が回動軸１６４を共通としているので、回転駆動手段が１つで済むこととなり、構成が簡単となる。なお、この第２の実施例では、外ケース１７０およびスライダ１７１をそれぞれ、互いに独立して回動（移動）することができるように構成したが、これに限ることなく、スライダ１７１の移動に伴って外ケース１７１が連動して移動するように構成してもよい。
つまり、スライダ１７１がストッパ１７０ａと当接した位置から更にストッパ１７０ａ方向に回動（移動）することにより、スライダ１７１の回動（移動）に連動させて外ケース１７０を回動させるものである。なお、この場合、外ケース１７０は常態において前記第３位置に位置するように付勢されており、スライダ１７１はこの付勢に抗して回動（移動）するように構成されていると好ましい。
このように構成すると、スライダ１７１を回転駆動手段により回動（移動）させることで、布状装飾体１６２の空気流出口１６２ｂからの排出長さを変更することができると共に、外ケース１７０を回動させることもできて一層好適である。
【符号の説明】
【００３５】
４    液晶表示演出装置
５    ステージ
２０  役物装置
５４  演出空間部
５６  本体収納部
６０  役物演出装置
６１、１６１  本体部
６２、１６２  布状装飾体
６３、１７０  外ケース
６３ａ  空気流入口
６３ｂ、１６３ｂ空気流出口
６４  巻取部材
６５  送風手段
６６  照明手段
６７  収納空間部
７１  駆動装置（第２移動手段）
１７１  スライダ
Ｍ  駆動モータ（第１移動手段）
【図１】
2010227400.tif 000003
【図２】
2010227400.tif 000004
【図３】
2010227400.tif 000005
【図４】
2010227400.tif 000006
【図５】
2010227400.tif 000007
【図６】
2010227400.tif 000008
【図７】
2010227400.tif 000009
【図８】
2010227400.tif 000010
【図９】
2010227400.tif 000011